【事件の表示】
　特願２０１７−　９０８４０号「遊技機」拒絶査定不服審判事件〔平成３０年１１月２９日出願公開、特開２０１８−１８６９７４号〕について、次のとおり審決する。
【結　論】
　本件審判の請求は、成り立たない。
【理　由】
１　手続の経緯
　本願は、平成２９年４月２８日の出願であって、平成３１年２月２２日に上申書とともに手続補正書が提出され、令和１年５月２１日付けの拒絶理由通知に対して、同年９月２５日に意見書及び手続補正書が提出されたところ、令和２年２月４日付けで拒絶査定（以下、「原査定」という。）がなされ、これに対して、同年４月１０日に拒絶査定不服審判の請求がされると同時に手続補正書（以下、当該手続補正書による補正を「請求時補正」という。）が提出されたところ、同年１１月２４日付けで当審において拒絶の理由（以下、「当審拒絶理由」という。）が通知され、令和３年１月１８日に意見書及び手続補正書（以下、当該手続補正書による補正を「本件補正」という。）が提出されたものである。
２　当審拒絶理由の概要
　当審拒絶理由は、請求時補正における特許請求の範囲の請求項１、２に係る発明において特定された「前記複数の装飾部材のうちの第１装飾部材の後方に配置する第２装飾部材に備えられる第２装飾基板の表実装面の白色塗膜上には、白色のパッケージを有する第２発光体と、白色と異なる黄色を有する第２実装補助記号と、が配置され、前記第２装飾基板の裏実装面には、白色とは異なる色のハウジングを有する第２コネクタが配置される」との構成は、発明の詳細な説明に記載したものということができず、この出願は、特許請求の範囲の記載が、特許法第３６条第６項第１号に規定する要件を満たしていない、との理由を含むものである。
３　請求時補正における特許請求の範囲の請求項１、２に係る発明及び本件補正における特許請求の範囲の請求項１に係る発明
　請求時補正における特許請求の範囲の請求項１、２に係る発明及び本件補正における特許請求の範囲の請求項１に係る発明（以下、それぞれ「請求時補正発明１」、「請求時補正発明２」及び「本件補正発明」という。）は、次のとおりのものである（下線は、本件補正による補正箇所を示し、当審にて付した。また、記号ＡないしＮは、本件補正発明を分説するため当審で付与した。）。
（請求時補正発明１）
「【請求項１】
　遊技球が流下可能な遊技領域が形成された遊技盤を有し、該遊技盤に備えられた始動口への入球に基づいて抽選を行い、該抽選の結果に基づいて遊技者に利益を付与する遊技機であって、
　前記遊技盤には、表実装面に発光体が実装される装飾基板が備えられる複数の装飾部材が設けられており、
　前記装飾基板は、
　前記発光体を特定する実装補助記号と、
　表実装面に設けられる白色塗膜と、
　当該装飾基板への配線を接続するコネクタと、
　を有し、
　前記複数の装飾部材のうちの第１装飾部材に備えられる第１装飾基板の表実装面の白色塗膜上には、
　白色のパッケージを有する第１発光体と、
　白色のハウジングを有する第１コネクタと、
　白色と異なる黄色を有する第１実装補助記号と、
　が配置され、
　前記複数の装飾部材のうちの第１装飾部材の後方に配置する第２装飾部材に備えられる第２装飾基板の表実装面の白色塗膜上には、
　白色のパッケージを有する第２発光体と、
　白色と異なる黄色を有する第２実装補助記号と、
　が配置され、
　前記第２装飾基板の裏実装面には、白色とは異なる色のハウジングを有する第２コネクタが配置される、
　ことを特徴とする遊技機。」
（請求時補正発明２）
【請求項２】
　遊技メダルを投入して始動レバーが操作されることに基づいて抽選手段による抽選を行い、該抽選の結果に基づいて遊技者に利益を付与する遊技機であって、
　当該遊技機には、表実装面に発光体が実装される装飾基板が備えられる複数の装飾部材が設けられており、
　前記装飾基板は、
　前記発光体を特定する実装補助記号と、
　表実装面に設けられる白色塗膜と、
　当該装飾基板への配線を接続するコネクタと、
　を有し、
　前記複数の装飾部材のうちの第１装飾部材に備えられる第１装飾基板の表実装面の白色塗膜上には、
　白色のパッケージを有する第１発光体と、
　白色のハウジングを有する第１コネクタと、
　白色と異なる黄色を有する第１実装補助記号と、
　が配置され、
　前記複数の装飾部材のうちの第１装飾部材の後方に配置する第２装飾部材に備えられる第２装飾基板の表実装面の白色塗膜上には、
　白色のパッケージを有する第２発光体と、
　白色と異なる黄色を有する第２実装補助記号と、
　が配置され、
　前記第２装飾基板の裏実装面には、白色とは異なる色のハウジングを有する第２コネクタが配置される、
　ことを特徴とする遊技機。」
（本件補正発明）
「【請求項１】
Ａ　遊技球が流下可能な遊技領域が形成された遊技盤
と、該遊技盤が装着される遊技枠と、
前記
Ｂ　前記遊技盤
と前記遊技枠と
Ｃ　前記装飾基板は、
Ｄ　前記発光体を特定する実装補助記号と、
Ｅ　表実装面に設けられる白色塗膜と、
Ｆ　当該装飾基板への配線を接続するコネクタと、
を有し、
Ｇ　前記複数の装飾部材のうちの
前記遊技枠に設けられる
Ｈ　白色のパッケージを有する第１発光体と、
Ｉ　白色のハウジングを有する第１コネクタと、
Ｊ　白色と異なる黄色を有する第１実装補助記号と、
が配置され、
Ｋ　前記複数の装飾部材のうちの
前記遊技盤に設けられ
Ｌ
　第
Ｍ　白色と異なる黄色を有する第２実装補助記号と、
が配置さ
れる
Ｎ　ことを特徴とする遊技機。」
４　当審拒絶理由について
　当審拒絶理由の対象であった、請求時補正発明１の構成に対応する本件補正発明の構成は、
「Ｋ　前記複数の装飾部材のうちの前記遊技盤に設けられる第２装飾部材に備えられる第２装飾基板の表実装面の白色塗膜上には、
Ｌ　第２発光体と、
Ｍ　白色と異なる黄色を有する第２実装補助記号と、
　が配置される」
であるから、これら特定事項Ｋ、Ｌ及びＭが本願の明細書又は図面（以下、「本願明細書等」という。）に記載されたものであって、これら特定事項Ｋ、Ｌ及びＭにより、当審拒絶理由が解消されているか否かについて、以下、検討する。
５　本願明細書等の記載
　本願明細書等には、以下の記載がある（下線は当審で付した。以下、同様。）。
（１）「【００１１】
　本実施形態のパチンコ機１は、遊技ホールの島設備（図示しない）に設置される枠状の外枠２と、外枠２の前面を開閉可能に閉鎖する扉枠３と、扉枠３を開閉可能に支持していると共に外枠２に開閉可能に取付けられている本体枠４と、
本体枠４に前側から着脱可能に取付けられると共に扉枠３を通して遊技者側から視認可能とされ遊技者によって遊技球Ｂ（図１０６を参照）が打込まれる遊技領域５ａを有した遊技盤５
・・・・・
【００７５】
　扉枠３は、外枠２の枠内と略同じ大きさで正面視において上下に延びた四角形に形成されており、本体枠４を介して外枠２の枠内を前側から開閉可能に取付けられている。
扉枠３は、遊技球Ｂが打込まれる遊技盤５の遊技領域５ａを前側から視認可能に閉鎖し、
（２）「【０２５０】
［３−５．皿ユニットの全体構成］
　
扉枠３における皿ユニット２００
【０２５１】
　
皿ユニット２００は、
演出操作ユニット３００と、を備えている
・・・・・
【０３３７】
　
演出操作ユニット３００は、
演出操作部カバーユニット３１０
を備えている
・・・・・
【０３３９】
［３−５−５ａ．演出操作部カバーユニット］
　
演出操作ユニット３００の演出操作部カバーユニット３１０
【０３４０】
　
演出操作部カバーユニット３１０は、
ユニット前カバー３１２の皿中央上装飾体３１２ａ内に後方から取付けられている皿中央上リフレクタ３１３と、皿中央上リフレクタ３１３に取付けられており前方へ向かって光を照射可能な複数のＬＥＤが実装されている皿中央上装飾基板３１４
を備えている
（３）「【０４４９】
［３−６．扉枠左サイドユニット］
　
扉枠３における扉枠左サイドユニット４００
【０４５０】
　
扉枠左サイドユニット４００は、
扉枠左サイドベース４０１の前面に取付けられており前面に複数のＬＥＤが実装されている扉枠左サイド装飾基板４０２と、
を備えている
【０４５１】
　扉枠左サイドベース４０１は、上下に延びており前方へ開放された箱状に形成されている。
扉枠左サイド装飾基板４０２は、扉枠左サイド装飾体４０４に沿うように上下に延びた細長い帯板状に形成されており、左サイド上装飾基板４０２ａと左サイド下装飾基板４０２ｂとで構成されている。扉枠左サイド装飾基板４０２は、前面に実装されている複数のＬＥＤが、フルカラーＬＥＤとされている。扉枠左サイド装飾基板４０２は、複数のＬＥＤを適宜発光させることで、扉枠左サイド装飾体４０４を発光装飾させることができる
・・・・・
【０４９３】
［３−９．扉枠の装飾］
　
扉枠３における装飾について、
扉枠３は、
演出操作ユニット３００の皿中央上装飾体３１２ａ、扉枠左サイドユニット４００の扉枠左サイド装飾体４０４
によって、扉窓１０１ａの外周が全周に亘って囲まれている
 ・・・・・
【０４９５】
　
扉枠３では、
皿中央上装飾体３１２ａ、扉枠左サイド装飾体４０４
の後方に、
皿中央上装飾基板３１４、扉枠左サイド装飾基板４０２
が配置されているため、それら装飾基板のＬＥＤを適宜発光させることで、扉窓１０１ａの外周全体を発光装飾させたり、扉窓１０１ａの外周に沿って光が移動するように発光演出を遊技者に見せたり、することができる
（４）「【０５０５】
　
本体枠ベースユニット５００は、正面視の形状が上下に延びた長方形の枠状に形成されている本体枠ベース５０１と、扉枠３側と接続するための接続ケーブル５０３を案内する接続ケーブル案内部材５０２と、遊技盤５を着脱可能に保持するための遊技盤ロック部材５０５と、を備えている
・・・・・
【０５１０】
［４−１．本体枠ベースユニット］
　本体枠４における本体枠ベースユニット５００について、主に図９２〜図１００等を参照して詳細に説明する。図９９（ａ）は本体枠における正面左下隅を示す拡大斜視図であり、（ｂ）は本体枠に対して扉枠を開いた時の本体枠の正面左下隅を示す拡大斜視図である。図１００は、本体枠に対する扉枠の開閉時における本体枠の接続ケーブル案内部材の動作を示す説明図である。
本体枠ベースユニット５００は、前方から後部が外枠２の枠内に挿入されると共に、前方から挿入された遊技盤５の外周を保持するものである
（５）「【０７７９】
　
遊技盤５は、
前構成部材１０００の後側に取付けられており遊技領域５ａの後端を区画する板状の遊技パネル１１００と、を備えている
・・・・・
【０７８２】
　
遊技パネル１１００は、
後面に裏ユニット３０００が取付けられる枠状のパネルホルダ１１２０
を備えている
・・・・・
【０８０１】
　また、
遊技パネル１１００は、パネル板１１１０の周面へ向かって光を照射する複数のパネル装飾用ＬＥＤ１１３０ａが実装されているパネル装飾基板１１３０
を備えている。パネル装飾基板１１３０は、パネルホルダ１１２０の正面視左上隅に配置される左上パネル装飾基板１１３１と、パネルホルダ１１２０の正面視左下隅に配置される左下パネル装飾基板１１３２と、から構成されている
・・・・・
【０８１１】
　・・・具体的には、放射導光部１１５２は、図１４３（ａ）において二点鎖線で示すように、
左上パネル装飾基板１１３１のパネル装飾用ＬＥＤ１１３０ａや左下パネル装飾基板１１３２のパネル装飾用ＬＥＤ１１３０ａ
（６）「【１０１３】
　また、
裏ユニット３０００は、
裏下演出ユニット３１００
を備えている
・・・・・
【１０１９】
　
裏下演出ユニット３１００は、
裏下可動装飾体３１１０
を備えている
【１０２０】
　
裏下可動装飾体３１１０は、
後段装飾部３１１６と、
中段装飾部３１１８と、
前段装飾部３１１９と、
後段装飾部３１１６を発光装飾させるための裏下後装飾基板３１２１と、
中段装飾部３１１８及び前段装飾部３１１９を発光装飾させるための裏下前装飾基板３１２２と、を備えている
・・・・・
【１０２７】
　
裏下後装飾基板３１２１は、前面と後面に、法線方向の外側へ向けて光を照射する複数のフルカラーＬＥＤ（サイドビュータイプ）が実装されている。裏下前装飾基板３１２２は、前面に、法線方向の外側へ向けて光を照射する複数のフルカラーＬＥＤ（サイドビュータイプ）と、前方へ向けて光を照射する複数のフルカラーＬＥＤ（トップビュータイプ）とが実装されている。裏下前装飾基板３１２２は、前段装飾部３１１９の前段軸部３１１９ａに取付けられる
（７）「【１６７０】
　これに対して、第２実施形態に係る反射率低下等の対策の構成では、図２０４（ａ）に示すように、
左サイド下装飾基板４０２ｂのＬＥＤ実装面４０２ｂｘには、フルカラーＬＥＤであるｈｄＬＥＤ１〜ｈｄＬＥＤ１０と対応する部品番号と、フルカラーＬＥＤであるｈｄＬＥＤ１〜ｈｄＬＥＤ１０を配置する位置を示す領域と、がシルク印刷としてそれぞれ印刷されている。具体的には、フルカラーＬＥＤであるｈｄＬＥＤ１〜ｈｄＬＥＤ１０を配置する位置を示す領域がシルク印刷として黄色の実線ＬＳＬＫ１〜ＬＳＬＫ１０で左サイド下装飾基板４０２ｂのＬＥＤ実装面４０２ｂｘにそれぞれ印刷されているとともに、これらの領域ＬＳＬＫ１〜ＬＳＬＫ１０の近傍であって左方又は上方にフルカラーＬＥＤであるｈｄＬＥＤ１〜ｈｄＬＥＤ１０と対応する部品番号であるＬＥＤ１〜ＬＥＤ１０がシルク印刷として黄色で左サイド下装飾基板４０２ｂのＬＥＤ実装面４０２ｂｘにそれぞれ印刷されている
・・・・・
【１６７２】
　また、
左サイド下装飾基板４０２ｂのＬＥＤ実装面４０２ｂｘが白色のレジストによりベタ塗りされている。フルカラーＬＥＤであるｈｄＬＥＤ１〜ｈｄＬＥＤ１０は、それぞれのパッケージが白色（白色と同色であると認められる色）の樹脂製であるとともに、コネクタＬＤＵＣＮは、そのハウジングが白色（ナチュラル色とも言われ、白色（ナチュラル色）と同色であると認められる色）の樹脂製である。
白色を有していない抵抗及びコンデンサ等の電子部品や、白色を有していないコネクタは、フルカラーＬＥＤの発光によるＬＥＤ実装面における反射率が低下するものであるため、ＬＥＤ実装面に全く実装されていない
・・・・・
【１６７５】
　また、
左サイド下装飾基板４０２ｂのＬＥＤ非実装面４０２ｂｙに実装される抵抗及びコンデンサ等は白色を有していないし、また１つの半導体チップ上に集積された定電流駆動回路４０２ｂａｘ（４０２ｂｂｘ）はそのパッケージが黒色の樹脂製であり、またコネクタＬＤＬＣＮはそのハウジングが黒色、茶色、又は青色のうちいずれかの色を有する樹脂製である。このように、白色を有していない抵抗、コンデンサ、及びＩＣ等の電子部品や、白色を有していないコネクタは、フルカラーＬＥＤの発光による反射率が低下するものであるため、ＬＥＤ非実装面に実装されている
【１６７６】
　なお、第２実施形態に係る反射率低下等の対策の構成においても、
左サイド下装飾基板４０２ｂのＬＥＤ実装面４０２ｂｘ，ＬＥＤ非実装面４０２ｂｙには、白色のレジストがベタ塗りされている。これにより、左サイド下装飾基板４０２ｂのＬＥＤ実装面４０２ｂｘにベタ塗りされた白色のレジストにより、フルカラーＬＥＤであるｈｄＬＥＤ１〜ｈｄＬＥＤ１０の発光による前方（つまりパチンコ機１の正面側）への反射率を高めることができるようになっている
【１６７７】
　また、第２実施形態に係る反射率低下等の対策の構成では、図２０４（ｂ）に示すように、
皿中央上装飾基板３１４のＬＥＤ実装面３１４ｘには、フルカラーＬＥＤであるｈＬＥＤ１〜ｈＬＥＤ１０と対応する部品番号と、フルカラーＬＥＤであるｈＬＥＤ１〜ｈＬＥＤ１０を配置する位置を示す領域と、がシルク印刷としてそれぞれ印刷されている。具体的には、フルカラーＬＥＤであるｈＬＥＤ１〜ｈＬＥＤ１０を配置する位置を示す領域がシルク印刷として黄色の実線ＨＳＬＫ１〜ＨＳＬＫ１０で皿中央上装飾基板３１４のＬＥＤ実装面３１４ｘにそれぞれ印刷されているとともに、これらの領域ＨＳＬＫ１〜ＨＳＬＫ１０の近傍であって右方にフルカラーＬＥＤであるｈＬＥＤ１〜ｈＬＥＤ１０と対応する部品番号であるＬＥＤ１〜ＬＥＤ１０がシルク印刷として黄色で皿中央上装飾基板３１４のＬＥＤ実装面３１４ｘにそれぞれ印刷されている
【１６７８】
　なお、
皿中央上装飾基板３１４のＬＥＤ実装面３１４ｘには、コネクタＨＣＮを配置する位置を示す領域がシルク印刷として図示しない黄色の実線で印刷されているとともに、この領域の近傍にコネクタＨＣＮと対応する部品番号がシルク印刷として図示しない黄色で印刷されている。
【１６７９】
　また、
皿中央上装飾基板３１４のＬＥＤ実装面３１４ｘの全体が白色のレジストにより覆われている。フルカラーＬＥＤであるｈＬＥＤ１〜ｈＬＥＤ１０は、それぞれのパッケージが白色（白色と同色であると認められる色）の樹脂製であるとともに、コネクタＨＣＮは、そのハウジングが白色（ナチュラル色とも言われ、白色（ナチュラル色）と同色であると認められる色）の樹脂製である。つまり、皿中央上装飾基板３１４のＬＥＤ実装面３１４ｘには、その全体が覆われる（ベタ塗りされる）白色のレジストと同一色（同色であると認められる色）のパッケージを有する電子部品であるフルカラーＬＥＤであるｈＬＥＤ１〜ｈＬＥＤ１０と、その全体が覆われる（ベタ塗りされる）白色のレジストと同一色（同色であると認められる色）のハウジングを有するコネクタＨＣＮとが実装されている。このように、第２実施形態では、白色を有していない図示しない抵抗やコンデンサ等の電子部品や、白色を有していないコネクタは、皿中央上装飾基板３１４のＬＥＤ実装面３１４ｘに全く実装されていない。換言すると、白色を有していない抵抗及びコンデンサ等の電子部品や、白色を有していないコネクタは、フルカラーＬＥＤの発光によるＬＥＤ実装面における反射率が低下するものであるため、ＬＥＤ実装面に全く実装されていない
・・・・・
【１６８３】
　なお、第２実施形態に係る反射率低下等の対策の構成においても、
皿中央上装飾基板３１４のＬＥＤ実装面３１４ｘ，ＬＥＤ非実装面３１４ｙには、白色のレジストがベタ塗りされている。これにより、皿中央上装飾基板３１４のＬＥＤ実装面３１４ｘにベタ塗りされた白色のレジストにより、フルカラーＬＥＤであるｈＬＥＤ１〜ｈＬＥＤ１０の発光による前方（つまり演出操作ユニット３００の上方へ向かう側）への反射率を高めることができるようになっている
・・・・・
【１６８５】
　
左サイド下装飾基板４０２ｂのＬＥＤ実装面４０２ｂｘにベタ塗りされた白色のレジストにより、フルカラーＬＥＤであるｈｄＬＥＤ１〜ｈｄＬＥＤ１０の発光による前方（つまりパチンコ機１の正面側）への反射率を高めることができるようになっている。また、皿中央上装飾基板３１４のＬＥＤ実装面３１４ｘにベタ塗りされた白色のレジストにより、フルカラーＬＥＤであるｈＬＥＤ１〜ｈＬＥＤ１０の発光による前方（つまり演出操作ユニット３００の上方へ向かう側）への反射率を高めることができるようになっている
フルカラーＬＥＤと対応する部品番号
扉枠３に設けられる各種装飾体（例えば、
ユニット前カバー３１２の皿中央上装飾体３１２ａ
扉枠左サイド装飾体４０４
）
【１６８６】
　そこで、第２実施形態に係る反射率低下等の対策の構成では、遊技者にとって遊技と全く関係を持たない
フルカラーＬＥＤと対応する部品番号
明色である黄色で印刷
・・・・・
【１６９０】
　また、第２実施形態では、
フルカラーＬＥＤの発光によるＬＥＤ実装面における反射率が低下する白色を有していない抵抗及びコンデンサ等の電子部品や、白色を有していないコネクタは、フルカラーＬＥＤの発光によるＬＥＤ実装面における反射率が低下するものであるため、ＬＥＤ実装面に全く実装されていなかった
（８）「【２１２０】
［１９．別例］
　なお、
本発明は上述した実施形態に何ら限定されるものではなく、本発明の技術的範囲 に属する限り種々の態様で実施し得ることはいうまでもない
・・・・・
【２１４０】
　また、上述した実施形態では、
扉枠３の各装飾基板におけるＬＥＤ定電流駆動回路の配置方法はほぼ同一であり、
遊技盤５に備える細長い板状の装飾基板にも適用することができる。遊技盤５に備える細長い板状の装飾基板としては、例えば、遊技盤５の各種演出ユニットに備える装飾基板を挙げることができる。
【２１４１】
　更に、上述した実施形態では、扉枠３の各装飾基板におけるＬＥＤ定電流駆動回路は、８個のフルカラーＬＥＤに定電流を流して発光制御を行っていたが、フルカラーＬＥＤに限定されず、白色、赤色、緑色、黄色、橙色、青色、緑色等の単色のＬＥＤであってもよい。単色のＬＥＤを用いることもできる。この場合、１つのＬＥＤ定電流駆動回路で最大２４個の単色のＬＥＤの発光制御を行うことができる。
【２１４２】
　また、上述した実施形態では、
扉枠３の各装飾基板に備えるＬＥＤ素子のカソード端子には、電源基板６３０からの直流＋１２Ｖが入力されていたが、ＬＥＤ定電流駆動回路の定電流駆動回路に備えるリニア電源（図２００に示した、ＬＥＤ定電流駆動回路２８３ａの定電流駆動回路２８３ｘに備えるリニア電源２８３ｘａ）で作成した内部電源Ｖｒｅｇ（直流＋５Ｖ）をリニア電源の電流許容範囲内でＬＥＤ点灯用の電圧として利用してもよい。
このように構成される装飾基板は、扉枠３のほかに、遊技盤５に備える装飾基板においても適用することができる。
【２１４３】
　更に、上述した実施形態では、
扉枠３の各装飾基板に備えるＬＥＤ素子のカソード端子には、電源基板６３０からの直流＋１２Ｖが入力されるとともに、定電流駆動回路の出力チャンネルＬＲ１〜ＬＲ８，ＬＧ１〜ＬＧ８，ＬＢ１〜ＬＢ８のうち、一の出力チャンネルに対して１個のフルカラーＬＥＤを構成するＬＥＤ素子のカソード端子が上述した熱分散抵回路の熱分散抵抗を介して電気的に接続されていたが、一の出力チャンネルに対して複数のフルカラーＬＥＤを電気的に直列接続してもよい。
このように構成される装飾基板は、扉枠３のほかに、遊技盤５に備える装飾基板においても適用することができる。
【２１４４】
　また、上述した実施形態では、扉枠トップ装飾体４５３の扉枠トップ中央装飾基板４５５、扉枠トップ左装飾基板４５６、及び扉枠トップ右装飾基板４５７は、扉枠トップ中央装飾基板４５５、扉枠トップ左装飾基板４５６、及び扉枠トップ右装飾基板４５７が扉枠トップ装飾体４５３に配置された状態において装飾基板の上端辺から下端辺までに亘る幅寸法が大きいため、定電流駆動回路のランドパターンの端辺を、扉枠トップ中央装飾基板４５５、扉枠トップ左装飾基板４５６、及び扉枠トップ右装飾基板４５７の上端辺と下端辺とに平行となるよう配置されているが、扉枠トップ中央装飾基板４５５、扉枠トップ左装飾基板４５６、及び扉枠トップ右装飾基板４５７のうち、いずれか１つの装飾基板、いずれか２つの装飾基板について、定電流駆動回路のランドパターンの端辺を、その装飾基 板の上端辺と下端辺とに非平行となるよう配置されていてもよい。そして、扉枠トップ右装飾基板４５７は、自身に備えるフルカラーＬＥＤに加えて、例えば２個のフルカラーＬＥＤが実装される他の右装飾基板を、自身に備えるＬＥＤ定電流駆動回路により直接発光制御してもよいし、扉枠トップ左装飾基板４５６は、自身に備えるフルカラーＬＥＤに加えて、例えば１個のフルカラーＬＥＤが実装される他の左装飾基板を、自身に備えるＬＥＤ定電流駆動回路により直接発光制御してもよい。
【２１４５】
　更に、上述した実施形態では、左サイド下装飾基板４０２ｂのＬＥＤ実装面４０２ｂｘ及びＬＥＤ非実装面４０２ｂｙ、皿中央上装飾基板３１４のＬＥＤ実装面３１４ｘ及びＬ ＥＤ非実装面３１４ｙ等の扉枠３に設けられる各装飾体に備える各種装飾基板のＬＥＤ実装面及びＬＥＤ非実装面は、白色のレジストがベタ塗りされていたが、これに代えて、白色のシルク印刷により印刷されていてもよい。この場合、各種装飾基板のＬＥＤ実装面及びＬＥＤ非実装面を白色のシルク印刷で全体を印刷した後に、フルカラーＬＥＤと対応する部品番号、及びフルカラーＬＥＤを配置する位置を示す領域を、シルク印刷として黄色（又は、黒色）でそれぞれ印刷されることとなる。」
（９）「図１２
図７０
図８３
図９１
図１３３
図１４１
図１６０
図２０４
図２０６
」
６　当審の判断
（１）本件補正発明の
「Ｋ　前記複数の装飾部材のうちの前記遊技盤に設けられる第２装飾部材に備えられる第２装飾基板の表実装面の白色塗膜上には、
Ｌ　第２発光体と、
Ｍ　白色と異なる黄色を有する第２実装補助記号と、
　が配置される」
の記載のうちの「前記遊技盤に設けられる第２装飾部材に備えられる第２装飾基板」、「表実装面の白色塗膜」、「白色と異なる黄色を有する第２実装補助記号」という記載、それぞれに対応する構成が、本願明細書等に記載されているか、以下、検討する。
（２）まず、「前記遊技盤に設けられる第２装飾部材に備えられる第２装飾基板」が、本願明細書等に記載されているどの部材に対応するものであるかについて検討する。
　上記５（５）で摘記した段落【０７７９】、【０７８２】には、「遊技盤５」の「遊技パネル１１００」が備える「パネルホルダ１１２０」の「後面に」「裏ユニット３０００」が取付けられることが記載され、上記５（６）で摘記した段落【１０１３】、【１０１９】、【１０２０】には、「裏ユニット３０００」の「裏下演出ユニット３１００」が備える「裏下可動装飾体３１１０」は、「後段装飾部３１１６」と、「中段装飾部３１１８」と、「前段装飾部３１１９」と、「後段装飾部３１１６を発光装飾させるための裏下後装飾基板３１２１」と、「中段装飾部３１１８及び前段装飾部３１１９を発光装飾させるための裏下前装飾基板３１２２と、を備えている」ことが記載されている。
　さらに、上記５（６）で摘記した段落【１０２７】には、「裏下後装飾基板３１２１は、前面と後面に、」「複数のフルカラーＬＥＤが実装されている」こと、「裏下前装飾基板３１２２は、前面に、」「複数のフルカラーＬＥＤが実装されている」ことが記載されている。
　また、上記５（５）で摘記した段落【０８０１】、【０８１１】には、「遊技パネル１１００は、パネル板１１１０の周面へ向かって光を照射する複数のパネル装飾用ＬＥＤ１１３０ａが実装されているパネル装飾基板１１３０」「を備え」、「パネル装飾基板１１３０は、パネルホルダ１１２０の正面視左上隅に配置される左上パネル装飾基板１１３１と、パネルホルダ１１２０の正面視左下隅に配置される左下パネル装飾基板１１３２と、から構成され」、「左上パネル装飾基板１１３１のパネル装飾用ＬＥＤ１１３０ａや左下パネル装飾基板１１３２のパネル装飾用ＬＥＤ１１３０ａ」を備えることが記載されている。
　そして、上記記載を勘案すると、「前記遊技盤に設けられる第２装飾部材」は、本願明細書等に記載された「後段装飾部３１１６」、「中段装飾部３１１８及び前段装飾部３１１９」、「遊技パネル１１００」の中のいずれかの部材に対応すると認められる。
　すると、「前記遊技盤に設けられる第２装飾部材に備えられる第２装飾基板」は、本願明細書等に記載された「裏下後装飾基板３１２１」、「裏下前装飾基板３１２２」、「左上パネル装飾基板１１３１、左下パネル装飾基板１１３２」の中のいずれかの部材に対応すると認められる。
（３）次に、「表実装面の白色塗膜」、「白色と異なる黄色を有する第２実装補助記号」が、本願明細書等に記載されているどの部材に対応するものであるかについて検討する。
　本願明細書等の記載を参酌すると、「表実装面の白色塗膜」、「白色と異なる黄色を有する第２実装補助記号」は、本願明細書等に記載された「左サイド下装飾基板４０２ｂのＬＥＤ実装面４０２ｂｘにベタ塗りされた白色のレジスト」（段落【１６８５】等）、「明色である黄色で印刷」された「フルカラーＬＥＤと対応する部品番号」（段落【１６８６】等）に対応すると認められる。
（４）上記（２）及び（３）の検討を踏まえて、
本件補正発明の
「Ｋ　前記複数の装飾部材のうちの前記遊技盤に設けられる第２装飾部材に備えられる第２装飾基板の表実装面の白色塗膜上には、
Ｌ　第２発光体と、
Ｍ　白色と異なる黄色を有する第２実装補助記号と、
　が配置される」
の記載によって特定される構成（以下、「特定構成」という。）が、本願明細書等に記載されているか、以下、検討する。
ア　上記（２）の検討に関して
　「前記遊技盤に設けられる第２装飾部材に備えられる第２装飾基板」に対応する、本願明細書等に記載された「裏下後装飾基板３１２１」、「裏下前装飾基板３１２２」、「左上パネル装飾基板１１３１、左下パネル装飾基板１１３２」について、その表実装面にベタ塗りされた白色のレジストのような白色塗膜を設け、この白色塗膜上に「明色である黄色で印刷」された「フルカラーＬＥＤと対応する部品番号」のような白色と異なる黄色を有する第２実装補助記号を配置した構成は、本願明細書等には記載されていない。
イ　上記（３）の検討に関して
　まず、「表実装面の白色塗膜」、「白色と異なる黄色を有する第２実装補助記号」に対応する、本願明細書等に記載された「左サイド下装飾基板４０２ｂのＬＥＤ実装面４０２ｂｘにベタ塗りされた白色のレジスト」、「明色である黄色で印刷」された「フルカラーＬＥＤと対応する部品番号」が、どのような部材に配置されたものであるかを検討する。
　上記５（７）で摘記した段落に記載された事項を総合的に勘案すると、本願明細書等には、「左サイド下装飾基板４０２ｂ」及び「皿中央上装飾基板３１４」において、「ＬＥＤ実装面４０２ｂｘ」及び「ＬＥＤ実装面３１４ｘ」が、白色のレジストによりベタ塗りされ、「ＬＥＤ実装面４０２ｂｘ」及び「ＬＥＤ実装面３１４ｘ」にパッケージが白色のフルカラーＬＥＤが配置され、フルカラーＬＥＤと対応する部品番号が黄色で「ＬＥＤ実装面４０２ｂｘ」及び「ＬＥＤ実装面３１４ｘ」にそれぞれ印刷されることが記載されている。
　また、上記５（３）で摘記した段落【０４９３】には、「扉枠３における装飾」について、「演出操作ユニット３００の皿中央上装飾体３１２ａ、扉枠左サイドユニット４００の扉枠左サイド装飾体４０４」等によって、扉枠３の扉窓１０１ａの外周が全周に亘って囲まれていることが記載され、また、同段落【０４５０】には、「扉枠左サイドユニット４００」は、「前面に複数のＬＥＤが実装されている扉枠左サイド装飾基板４０２」を備えていることが記載され、上記５（２）で摘記した段落【０３４０】には、「ユニット前カバー３１２の皿中央上装飾体３１２ａ」内に後方から取付けられている皿中央上リフレクタ３１３と、皿中央上リフレクタ３１３に取付けられており前方へ向かって光を照射可能な複数のＬＥＤが実装されている「皿中央上装飾基板３１４」が備えられていることが記載されている。
　してみると、本願明細書等には、「左サイド下装飾基板４０２ｂ」及び「皿中央上装飾基板３１４」が、それぞれ、「扉枠３」に設けられる装飾である「扉枠左サイドユニット４００」及び「ユニット前カバー３１２の皿中央上装飾体３１２ａ」に備えられる装飾基板であることが記載されている。　　よって、「左サイド下装飾基板４０２ｂのＬＥＤ実装面４０２ｂｘにベタ塗りされた白色のレジスト」、「明色である黄色で印刷」された「フルカラーＬＥＤと対応する部品番号」は、「扉枠３」に設けられる装飾である「扉枠左サイドユニット４００」及び「ユニット前カバー３１２の皿中央上装飾体３１２ａ」に備えられる装飾基板である「左サイド下装飾基板４０２ｂ」及び「皿中央上装飾基板３１４」に配置されたものである。
　以上のことから、「左サイド下装飾基板４０２ｂ」及び「皿中央上装飾基板３１４」は、「遊技盤５」に設けられる装飾部材に備えられる装飾基板ではないから、「左サイド下装飾基板４０２ｂのＬＥＤ実装面４０２ｂｘにベタ塗りされた白色のレジスト」、「明色である黄色で印刷」された「フルカラーＬＥＤと対応する部品番号」が、「遊技盤５」に設けられる装飾部材に備えられる装飾基板に配置された構成は、本願明細書等には記載されていない。
ウ　上記ア及びイでの検討から本願明細書等に特定構成が記載されているとはいえない。
（５）一方、上記（４）において、「扉枠３」に設けられる装飾に備えられる「左サイド下装飾基板４０２ｂ」及び「皿中央上装飾基板３１４」の「ベタ塗りされた白色のレジスト」、「明色である黄色で印刷」された「フルカラーＬＥＤと対応する部品番号」の構成を、「遊技盤５」に設けられる装飾部材に備えられる装飾基板にも適用可能であることが、本願明細書等に記載ないし示唆されていれば、特定構成は、本願明細書等に記載したものということができる。
　そこで、このことが、本願明細書等に記載ないし示唆されているか否かについて、以下、検討する。
ア　まず、上記５（８）で摘記した段落【２１２０】には、「本発明は上述した実施形態に何ら限定されるものではなく、本発明の技術的範囲 に属する限り種々の態様で実施し得ることはいうまでもない。」と記載され、同段落【２１４０】には、「扉枠３の各装飾基板におけるＬＥＤ定電流駆動回路の配置方法はほぼ同一であり、・・・遊技盤５に備える細長い板状の装飾基板にも適用することができる。遊技盤５に備える細長い板状の装飾基板としては、例えば、遊技盤５の各種演出ユニットに備える装飾基板を挙げることができる。」と記載されている。
　そして、当該記載より、本願明細書等には、「扉枠３の各装飾基板におけるＬＥＤ定電流駆動回路の配置方法」を「遊技盤５」に備える細長い板状の装飾基板にも適用することについては記載されていると認められるが、当該記載が、「扉枠３」に設けられる装飾に備えられる装飾基板である「左サイド下装飾基板４０２ｂ」及び「皿中央上装飾基板３１４」の「ベタ塗りされた白色のレジスト」、「明色である黄色で印刷」された「フルカラーＬＥＤと対応する部品番号」の構成を、「遊技盤５」に設けられる装飾部材に備えられる装飾基板にも適用可能であることを示唆あるいは開示しているとは到底認められない。
イ　また、上記５（８）で摘記した段落【２１４２】には、「扉枠３の各装飾基板に備えるＬＥＤ素子のカソード端子には、電源基板６３０からの直流＋１２Ｖが入力されていたが、ＬＥＤ定電流駆動回路の定電流駆動回路に備えるリニア電源（図２００に示した、ＬＥＤ定電流駆動回路２８３ａの定電流駆動回路２８３ｘに備えるリニア電源２８３ｘａ）で作成した内部電源Ｖｒｅｇ（直流＋５Ｖ）をリニア電源の電流許容範囲内でＬＥＤ点灯用の電圧として利用してもよい。・・・このように構成される装飾基板は、扉枠３のほかに、遊技盤５に備える装飾基板においても適用することができる。」と記載されているが、当該記載は、ＬＥＤ点灯用の電圧の入力方法に関する記載であり、「扉枠３」に設けられる装飾に備えられる装飾基板である「左サイド下装飾基板４０２ｂ」及び「皿中央上装飾基板３１４」の「ベタ塗りされた白色のレジスト」、「明色である黄色で印刷」された「フルカラーＬＥＤと対応する部品番号」の構成を、「遊技盤５」に設けられる装飾部材に備えられる装飾基板にも適用可能であることを示唆あるいは開示しているとは到底認められない。
ウ　さらに、上記５（８）で摘記した段落【２１４３】には、「扉枠３の各装飾基板に備えるＬＥＤ素子のカソード端子には、電源基板６３０からの直流＋１２Ｖが入力されるとともに、定電流駆動回路の出力チャンネルＬＲ１〜ＬＲ８，ＬＧ１〜ＬＧ８，ＬＢ１〜ＬＢ８のうち、一の出力チャンネルに対して１個のフルカラーＬＥＤを構成するＬＥＤ素子のカソード端子が上述した熱分散抵回路の熱分散抵抗を介して電気的に接続されていたが、一の出力チャンネルに対して複数のフルカラーＬＥＤを電気的に直列接続してもよい。・・・このように構成される装飾基板は、扉枠３のほかに、遊技盤５に備える装飾基板においても適用することができる。」と記載されているが、当該記載は、定電流駆動回路の出力チャンネルと扉枠３の各装飾基板に備えるＬＥＤ素子のカソード端子との接続方法に関する記載であり、「扉枠３」に設けられる装飾に備えられる装飾基板である「左サイド下装飾基板４０２ｂ」及び「皿中央上装飾基板３１４」の「ベタ塗りされた白色のレジスト」、「明色である黄色で印刷」された「フルカラーＬＥＤと対応する部品番号」の構成を、「遊技盤５」に設けられる装飾部材に備えられる装飾基板にも適用可能であることを示唆あるいは開示しているとは到底認められない。
エ　そうすると、「扉枠３」に設けられる装飾に備えられる「左サイド下装飾基板４０２ｂ」及び「皿中央上装飾基板３１４」の「ベタ塗りされた白色のレジスト」、「明色である黄色で印刷」された「フルカラーＬＥＤと対応する部品番号」の構成を、「遊技盤５」に設けられる装飾部材に備えられる装飾基板にも適用可能であることが、本願明細書等に記載ないし示唆されているということはできない。
（６）以上より、上記（４）に示した特定構成は、本願明細書等に記載も示唆もされていない上に、本願明細書等の記載から当業者にとって自明であるともいえないから、本件補正発明は、発明の詳細な説明に記載したものではなく、特許法第３６条第６項第１号の規定に違反するものである。
（７）当審拒絶理由の対象ではなかった請求時補正発明１の構成に対応する本件補正発明の構成Ａに「該遊技盤が装着される遊技枠」との構成が追加されるとともに、構成Ｇ〜Ｊにおいて、
「Ｇ　前記複数の装飾部材のうちの前記遊技枠に設けられる第１装飾部材に備えられる第１装飾基板の表実装面の白色塗膜上には、
Ｈ　白色のパッケージを有する第１発光体と、
Ｉ　白色のハウジングを有する第１コネクタと、
Ｊ　白色と異なる黄色を有する第１実装補助記号と、
　が配置され」ることが特定されている。
　そこで、この「遊技枠」に関連して特定された構成（以下、「遊技枠構成」という。）についても、発明の詳細な説明に記載されたものであるか、合わせて、以下、検討する。
　そして、上記（１）〜（６）の説示を踏まえると、装飾基板に「ベタ塗りされた白色のレジスト」、「明色である黄色で印刷」された「フルカラーＬＥＤと対応する部品番号」が配置されるのは、「扉枠３」に設けられた装飾基板である「左サイド下装飾基板４０２ｂ」及び「皿中央上装飾基板３１４」上であるから、本件補正発明の構成Ｇ〜Ｊの記載における「前記遊技枠」は、本願明細書等に記載の「扉枠３」を特定しようとする記載であると認められる。
　しかしながら、上記５（１）で摘記した段落【００１１】の「本体枠４に前側から着脱可能に取付けられると共に扉枠３を通して遊技者側から視認可能とされ遊技者によって遊技球Ｂ（図１０６を参照）が打込まれる遊技領域５ａを有した遊技盤５」との記載、同段落【００７５】の「扉枠３は、遊技球Ｂが打込まれる遊技盤５の遊技領域５ａを前側から視認可能に閉鎖し」との記載及び上記５（４）で摘記した段落【０５０５】の「本体枠ベースユニット５００は、正面視の形状が上下に延びた長方形の枠状に形成されている本体枠ベース５０１と、扉枠３側と接続するための接続ケーブル５０３を案内する接続ケーブル案内部材５０２と、遊技盤５を着脱可能に保持するための遊技盤ロック部材５０５と、を備えている」との記載に鑑みると、「遊技盤５」は、「扉枠３」ではなく、「本体枠４」に着脱可能に取付けられるものであるから、本件補正発明の構成Ａの「該遊技盤が装着される遊技枠」は、本願明細書等に記載の「本体枠４」を特定しようとする記載であると認められる。
　そして、仮に、本件補正発明の構成Ａの「該遊技盤が装着される遊技枠」が「本体枠４」を特定しようとする記載であるとしても、本願明細書等には、「本体枠４」に装飾部材を備えることや、装飾部材に備えられる装飾基板の構成について記載されているとは認められない。
　すると、本件補正発明の構成Ａの記載における「遊技枠」と、構成Ｇ〜Ｊの記載における「遊技枠」が、それぞれ、異なる本願明細書等に記載された構成に対応することとなるから、本件補正発明における「遊技枠」が示す事項が不明であるとともに、遊技枠構成が発明の詳細な説明に記載したものであるともいえない。
７　審判請求人の主張について
　審判請求人は、令和３年１月１８日に提出された意見書の「（３−２）本願発明が拒絶理由を回避した理由」の（ロ）において、
「しかしながら、審判長殿がご指摘された本願の当初明細書の段落［２１４０］に、「扉枠３の各装飾基板におけるＬＥＤ定電流駆動回路の配置方法」について「遊技盤５に備える細長い板状の装飾基板にも適用することができる」と記載されていることに加えて、以降の段落［２１４２］には、「また、上述した実施形態では、扉枠３の各装飾基板に備えるＬＥＤ素子のカソード端子には、電源基板６３０からの直流＋１２Ｖが入力されていたが、ＬＥＤ定電流駆動回路の定電流駆動回路に備えるリニア電源（図２００に示した、ＬＥＤ定電流駆動回路２８３ａの定電流駆動回路２８３ｘに備えるリニア電源２８３ｘａ） で作成した内部電源Ｖｒｅｇ（直流＋５Ｖ）をリニア電源の電流許容範囲内でＬＥＤ点灯用の電圧として利用してもよい。・・・このように構成される装飾基板は、扉枠３のほかに、遊技盤５に備える装飾基板においても適用することができる。」と記載され、段落［２１４３］には、「更に、上述した実施形態では、扉枠３の各装飾基板に備えるＬＥＤ素子のカソード端子には、電源基板６３０からの直流＋１２Ｖが入力されるとともに、定電流駆動回路の出力チャンネルＬＲ１〜ＬＲ８，ＬＧ１〜ＬＧ８，ＬＢ１〜ＬＢ８のうち、一の出力チャンネルに対して１個のフルカラーＬＥＤを構成するＬＥＤ素子のカソード端子が上述した熱分散抵回路の熱分散抵抗を介して電気的に接続されていたが、一の出力チャンネルに対して複数のフルカラーＬＥＤを電気的に直列接続してもよい。このように構成される装飾基板は、扉枠３のほかに、遊技盤５に備える装飾基板においても適用することができる。」と記載されています。そして上記記載から明らかなように、本願の当初明細書には、左サイド下装飾基板４０２ｂを含む扉枠３の各装飾基板の構成を、遊技盤５に備える装飾基板に適用することができることが開示されています。」
と主張するが、上記６（５）で説示したとおり、段落【２１４０】、【２１４２】及び【２１４３】の記載が、「扉枠３」に設けられた装飾基板である「左サイド下装飾基板４０２ｂ」及び「皿中央上装飾基板３１４」の「ベタ塗りされた白色のレジスト」、「明色である黄色で印刷」された「フルカラーＬＥＤと対応する部品番号」の構成を、「遊技盤５」に備える装飾基板にも適用可能であることを示唆あるいは開示しているとは到底認められないから、出願人の主張は採用できない。
８　むすび
　以上のとおりであるから、本願の特許請求の範囲の請求項１に係る発明は、発明の詳細な説明に記載したものということができず、本願は、特許請求の範囲の記載が特許法第３６条第６項第１号に規定する要件を満たしておらず、特許を受けることができない。したがって、本願は拒絶すべきものである。
　よって、結論のとおり審決する。